(57)【要約】【課題】  設備を構成する装置の故障が発生する誘因より環境改善などを行うためのバックデータを即座に取り出すことができる故障履歴管理装置を提供することである。【解決手段】  無線認識票（ＲＦＩＤ）１１は設備を構成する装置に貼付され、その装置を認識するための装置認識情報が記録されている。また、管理用計算機１２は設備を構成する装置の故障履歴データを管理する。端末装置１３は、無線認識票（ＲＦＩＤ）１１に記録された装置認識情報により設備を構成する装置を認識し、その装置の故障履歴データを管理用計算機１２から読み出したり追加入力する。【選択図】  図１
2006260344.tif 000002
【特許請求の範囲】
【請求項１】
設備を構成する装置に貼付されその装置を認識するための装置認識情報が記録された無線認識票と、設備を構成する装置の故障履歴データを管理する管理用計算機と、前記無線認識票に記録された装置認識情報により設備を構成する装置を認識しその装置の故障履歴データを前記管理用計算機から読み出したり追加入力する端末装置とを備えたことを特徴とする故障履歴管理装置。
【請求項２】
設備を構成する装置に貼付されその装置を認識するための装置認識情報及び故障履歴データが記録された無線認識票と、設備を構成する装置の故障履歴データを管理する管理用計算機と、前記無線認識票に記録された装置認識情報により設備を構成する装置を認識しその装置の故障履歴データを前記無線認識票または前記管理用計算機から読み出したり追加入力する端末装置とを備えたことを特徴とする故障履歴管理装置。
【請求項３】
前記端末装置は、前記無線認識票に記録された装置認識情報により認識した装置の故障履歴データとともに、同一客先または同一プラントの他の同一装置の故障履歴データを取り出すことを特徴とする請求項１または２記載の故障履歴管理装置。
【請求項４】
前記装置認識情報は、装置自身の型番、製造番号であることを特徴とする請求項１ないし３のいずれか一記載の故障履歴管理装置。
【請求項５】
前記故障履歴データは、装置の故障発生日、故障原因、客先名、プラント名、設置環境情報であることを特徴とする請求項１ないし４のいずれか一記載の故障履歴管理装置。
【発明の詳細な説明】
【技術分野】
【０００１】
本発明は、電気設備や機械設備等の設備を構成する装置の故障履歴を管理する故障履歴管理装置に関する。
【背景技術】
【０００２】
一般に、プラントには各種の電気機器や監視制御装置などの設備が設置され、これら設備を構成する装置の中には長期安定稼働が要求される多くの装置が設置されている。故障による設備の稼働停止を未然に防止することは重要なことであり、従来においては、設備を構成する装置の故障履歴を記録し、その発生傾向から必要に応じて予防保全を行い、故障による設備の稼働停止を未然に防止してきた。
【０００３】
製品及び関連情報管理方法として、製品の保証書或いはリサイクル費用の管理情報の如き製品に関連する情報を容易に読み取り得るようにしたものがある（例えば、特許文献１参照）。すなわち、製品は、該製品に関連する情報を読取可能に記憶する記憶手段を有し、該製品に関連する情報は、製品名及び／又は製造番号と、該製品名及び／又は製造番号に対応する製品の保証期間の情報とを含み、関連情報管理方法は、コンピュータを用いて製品に関連する情報を管理し、該製品の各々を識別する識別子を読取可能にして該製品内の記憶手段に記憶せしめ、該識別子を読み込み、これを検索キーとして対応する製品に関連する情報を検索して表示するものである。
【特許文献１】特開２００３−３０８３６３号公報
【発明の開示】
【発明が解決しようとする課題】
【０００４】
しかしながら、特開２００３−３０８３６３号公報のものは、製品の各々を識別する識別子を読取可能にして該製品内の記憶手段に記憶せしめ、該識別子を読み込み、これを検索キーとして対応する製品に関連する情報を検索して表示するものであるが、製品として出荷された後の故障履歴データを管理するものでない。
【０００５】
特に、大規模なプラントでは複雑高度化した装置が設置され、これらの故障履歴データを管理し、その故障発生傾向から必要に応じて予防保全を行い、故障による設備の稼働停止を未然に防止することは設備管理者の責務である。
【０００６】
本発明の目的は、設備を構成する装置の故障が発生する誘因より環境改善などを行うためのバックデータを即座に取り出すことができる故障履歴管理装置を提供することである。
【課題を解決するための手段】
【０００７】
本発明の故障履歴管理装置は、設備を構成する装置に貼付されその装置を認識するための装置認識情報が記録された無線認識票と、設備を構成する装置の故障履歴データを管理する管理用計算機と、前記無線認識票に記録された装置認識情報により設備を構成する装置を認識しその装置の故障履歴データを前記管理用計算機から読み出したり追加入力する端末装置とを備えたことを特徴とする。
【発明の効果】
【０００８】
本発明によれば、設備を構成する装置の無線認識票に記録された装置認識情報をキーにして、管理用計算機の故障履歴データベースにアクセスし、その装置が実装されたシステムの故障発生傾向を参照することが可能となる。すなわち、設備を構成する装置の製造番号や客先名などを人間系で参照することなく、無線認識票に記録された装置認識情報を端末装置で読み取るだけで、容易に故障発生傾向を知ることができる。
【発明を実施するための最良の形態】
【０００９】
以下、本発明の実施の形態を説明する。図１は本発明の実施の形態に係わる故障履歴管理装置の構成図である。故障履歴管理装置は、設備を構成する装置に貼付される無線認識票（以下ＲＦＩＤという）１１と、設備を構成する装置の故障履歴データを管理する管理用計算機１２と、ＲＦＩＤ１１及び管理用計算機１２と各種データの送受信を行う端末装置１３とから構成される。
【００１０】
ＲＦＩＤ１１には、再書き込みしない方式のＲＦＩＤと再書き込み方式のＲＦＩＤとがあり、再書き込みしない方式のＲＦＩＤには、設備を構成する装置を認識するための装置認識情報が記録される。再書き込み方式のＲＦＩＤには、設備を構成する装置を認識するための装置認識情報に加え、その装置の故障履歴データが記録される。装置認識情報は、装置自身の型番や製造番号である。また、故障履歴データは、装置の故障発生日、故障原因、客先名、プラント名、設置環境情報等である。
【００１１】
ＲＦＩＤ１１に記録された装置認識情報は変復調器１４で変調されて、端末装置１３のリーダ・ライタ１５に送信される。リーダ・ライタ１５では受信した信号を変復調器１６で復調し端末装置本体１７に出力する。端末装置本体１７には表示操作装置１８及びプリンタ１９が接続されている。
【００１２】
また、管理用計算機１２は、故障履歴データを記憶する故障履歴データベース記憶部２０及び故障解析支援プログラムを記憶する故障解析支援プログラム記憶部２１を有するとともに管理用計算機本体２２を有する。管理用計算機本体２２は、通信部２３及び故障履歴データベース作成診断エンジン部２４を有する。
【００１３】
管理用計算機１２と端末装置１３とは通信回線（ネットワーク）２５を介して互いにデータの送受信を行う。すなわち、端末装置１３は、ＲＦＩＤ１１に記録された装置認識情報により設備を構成する装置を認識し、その装置の故障履歴データを管理用計算機１２の故障履歴データベース記憶部２０から読み出したり、故障履歴データベース記憶部２０に追加入力したりする。このように、装置の故障履歴データを管理用計算機１２に記録し、その故障発生の傾向から今後発生するであろう故障を科学的に予測し、設備の運用リスクを明確化するともに、最適の費用で故障の発生を予防保全によって未然に防止する手法（ＲＢＭ／Risk Based Maintenance）を効果的に採用することができる。
【００１４】
図２は、再書き込みしない方式のＲＦＩＤ１１を採用している場合に故障履歴データ（故障分析結果）を追加する際の故障履歴管理装置の動作説明図である。再書き込みしない方式のＲＦＩＤ１１を採用している場合には、故障分析結果は追加の故障履歴データとして端末装置１３の表示操作装置１８より入力し、管理用計算機１２の故障履歴データベース記憶部２０に故障履歴データとして蓄積される。
【００１５】
図２において、まず、端末装置１３のリーダ・ライタ１５を装置のＲＦＩＤ１１にかざし、端末装置本体１７はリーダ・ライタ１５に対し、装置の製造番号の読み出し要求を出力する（Ｓ１）。ＲＦＩＤ１１では、端末装置１３のリーダ・ライタ１５から読み出し要求があるかどうかを判定し（Ｓ２）、読み出し要求があるときは、装置の製造番号を読み出し端末装置１３のリーダ・ライタ１５に送信し応答する（Ｓ３）。端末装置１３の端末装置本体１７は、ＲＦＩＤ１１から製造番号の読み出し応答があったか否かを判定し（Ｓ４）、ＲＦＩＤ１１から製造番号の読み出し応答があったときは、受信した製造番号を管理用計算機１２に送信する（Ｓ５）。
【００１６】
管理用計算機１２は、端末装置１３から装置の製造番号の受信（故障履歴データの検索要求）があるか否かを判定し（Ｓ６）、故障履歴データの検索要求がある場合には、その製造番号に対応する装置の故障履歴データを検索して取得し（Ｓ７）、その故障履歴データを端末装置１３に送信する（Ｓ８）。端末装置１３は、管理用計算機１２から故障履歴データの受信があるか否かを判定し（Ｓ９）、故障履歴データを受信したときは、表示操作装置１８に故障履歴データを表示する（Ｓ１０）。そして、表示操作装置１８からの故障履歴データの追加入力があるか否かを判定し（Ｓ１１）、故障履歴データの追加入力がある場合には、追加された故障履歴データを更新表示し（Ｓ１２）、追加された故障履歴データを管理用計算機１２に送信する（Ｓ１３）。
【００１７】
管理用計算機１２は、追加された故障履歴データを受信したか否かを判定し（Ｓ１５）、追加された故障履歴データを受信したときは、故障履歴データの検索要求のあった装置の故障履歴データを検索し、追加された故障履歴データを更新して書き込む（Ｓ１５）。このように、再書き込みしない方式のＲＦＩＤを採用している場合に、故障分析結果を追加の故障履歴データとして入力する場合には、端末装置１３より管理用計算機１２に入力し、故障履歴データベース記憶部２０に蓄積する。
【００１８】
図３は、再書き込み方式のＲＦＩＤ１１を採用している場合に故障履歴データ（故障分析結果）を追加する際の故障履歴管理装置の動作説明図である。再書き込み方式のＲＦＩＤ１１を採用している場合には、故障分析結果（追加の故障履歴データ）は、端末装置１３の表示操作装置１８より入力し、管理用計算機１２の故障履歴データベース記憶部２０に故障履歴データとして蓄積されるとともに、端末装置１３のリーダ・ライタ１５を通じてＲＦＩＤ１１に書き込まれる。
【００１９】
図３において、まず、端末装置１３のリーダ・ライタ１５を装置のＲＦＩＤ１１にかざし、端末装置本体１７はリーダ・ライタ１５に対し、装置の製造番号の読み出し要求を出力する（Ｓ１）。ＲＦＩＤ１１では、端末装置１３のリーダ・ライタ１５から読み出し要求があるかどうかを判定し（Ｓ２）、読み出し要求があるときは、装置の製造番号を読み出し端末装置１３のリーダ・ライタ１５に送信し応答する（Ｓ３）。端末装置１３の端末装置本体１７は、ＲＦＩＤ１１から製造番号の読み出し応答があったか否かを判定し（Ｓ４）、ＲＦＩＤ１１から製造番号の読み出し応答があったときは、受信した製造番号をＲＦＩＤ１１に送信する（Ｓ５）。
【００２０】
ＲＦＩＤ１１は、端末装置１３から装置の製造番号の受信（故障履歴データの検索要求）があるか否かを判定し（Ｓ６）、故障履歴データの検索要求がある場合には、その製造番号に対応する装置の故障履歴データを検索して取得し（Ｓ７）、その故障履歴データを端末装置１３に送信する（Ｓ８）。
【００２１】
端末装置１３は、ＲＦＩＤ１１から故障履歴データの受信があるか否かを判定し（Ｓ９）、故障履歴データを受信したときは、表示操作装置１８に故障履歴データを表示する（Ｓ１０）。そして、表示操作装置１８からの故障履歴データの追加入力があるか否かを判定し（Ｓ１１）、故障履歴データの追加入力がある場合には、追加された故障履歴データを更新表示し（Ｓ１２）、追加された故障履歴データをＲＦＩＤ１１及び管理用計算機１２に送信する（Ｓ１３）。
【００２２】
管理用計算機１２は、追加された故障履歴データを受信したか否かを判定し（Ｓ１５）、追加された故障履歴データを受信したときは、故障履歴データの検索要求のあった装置の故障履歴データを検索し、追加された故障履歴データを更新して書き込む（Ｓ１５）。同様に、ＲＦＩＤ１１においても、追加された故障履歴データを受信したか否かを判定し（Ｓ１６）、追加された故障履歴データを受信したときは、故障履歴データの検索要求のあった装置の故障履歴データを検索し、追加された故障履歴データを更新して書き込む（Ｓ１７）。
【００２３】
このように、過去の故障履歴データの参照はＲＦＩＤ１１に記録されたデータを利用しており、新たに故障履歴データを追加する場合には、ＲＦＩＤ１１と管理用計算機１２の故障履歴データベース記憶部２０の両者に記録するようにしている。従って、再書き込み可能なＲＦＩＤ１１を使用した場合、これらの故障発生履歴情報がＲＦＩＤ１１に記録されるので、管理用計算機１２に接続することなく、その装置自身の故障履歴を把握することができる。なお、再書き込み可能なＲＦＩＤ１１を使用した場合は、ＲＦＩＤ１１または管理用計算機１２のいずれの故障履歴データを参照するのかをオペレータに選択させることもできる。
【００２４】
次に、故障した装置の過去の故障履歴だけでなくシステムの故障傾向を参照する場合の故障履歴管理装置の操作について説明する。図４は、その場合の故障履歴管理装置の動作説明図である。
【００２５】
図４において、故障した装置のＲＦＩＤ１１に記録された製造番号をキーにして、端末装置１３のリーダ・ライタ１５を経由して、管理用計算機１２の故障履歴データベース記憶部２０にアクセスする。すなわち、表示操作装置１８に故障履歴データを表示し（Ｓ１）、端末装置本体１７は装置の表示要求があるか否かを判定する（Ｓ２）。例えば、装置Ａの表示要求がある場合には、その装置Ａの型番を管理用計算機１２に送信する（Ｓ３）。
【００２６】
管理用計算機１２は端末装置１３から装置の型番入力があるかどうかを判定し（Ｓ４）、例えば、装置Ａの型番入力があるときは、装置Ａの型番に対応する故障履歴データを故障履歴データベース記憶部２０から検索し端末装置１３に送信する（Ｓ５）。端末装置１３は装置Ａの型番に対応する故障履歴データを管理用計算機１２から受信したときは、装置Ａの故障全体画面を表示操作装置１８に表示する（Ｓ６）。
【００２７】
端末装置１３は、その状態で顧客選択の表示要求があるかどうかを判定する（Ｓ７）。例えば、顧客Ｂ社の選択表示要求があるときは、端末装置１３は顧客Ｂ社のデータを管理用計算機１２に送信する（Ｓ８）。管理用計算機１２は端末装置１３から顧客入力があるかどうかを判定し（Ｓ９）、例えば、顧客Ｂ社の型番入力があるときは、顧客Ｂ社に対する装置Ａの故障履歴データを故障履歴データベース記憶部２０から検索し端末装置１３に送信する（Ｓ１０）。
【００２８】
端末装置１３は、管理用計算機１２から顧客Ｂ社に対する装置Ａの故障履歴データを入力すると、その顧客Ｂ社に対する装置Ａの故障履歴データを表示操作装置１８に表示する（Ｓ１１）。端末装置１３の端末装置本体１７は、顧客Ｂ社のサイト選択の表示要求があるか否かを判定し（Ｓ１２）、例えば、顧客Ｂ社のサイトＵ〜Ｚの選択の表示要求があるときは、顧客Ｂ社のサイトＵ〜Ｚのデータを管理用計算機１２に送信する（Ｓ１３）。
【００２９】
管理用計算機１２は端末装置１３から顧客Ｂ社のサイト入力があるかどうかを判定し（Ｓ１４）、例えば、顧客Ｂ社の型番入力があるときは、顧客Ｂ社のサイトＵ〜Ｚに対する装置Ａの故障履歴データを故障履歴データベース記憶部２０から検索し端末装置１３に送信する（Ｓ１５）。端末装置１３は、管理用計算機１２から顧客Ｂ社のサイトＵ〜Ｚに対する装置Ａの故障履歴データを入力すると、その顧客Ｂ社のサイトＵ〜Ｚに対する装置Ａの故障履歴データを表示操作装置１８に表示する（Ｓ１６）。
【００３０】
図５は、装置Ａの故障傾向を全顧客Ｖ、Ｂ社全体Ｗ、Ｂ社の各サイトＵ〜Ｚの故障傾向の一例を表示したグラフである。これを見ると、Ｂ社のサイトＸに特有な問題があり、装置Ａの故障が多発していることがわかる。これにより定量的なデータに基づく調査・改善の提案を行うことができる。
【００３１】
このように、表示操作装置１８に表示された画面上から検索キーを指定することによって、その検索キーに対応する過去の故障傾向を検索する。すなわち、装置の型番をキーに検索することにより装置の故障傾向を知ることができる。この場合、装置としてはモジュールや部品の双方を含み、例えば、部品の型番をキーに検索すれば、部品の故障傾向を知ることができる。
【００３２】
本発明の実施の形態によれば、ＲＦＩＤ１１を端末装置１３のリーダ・ライタ１５にかざして装置識別情報を入力することができるので、製造番号や客先名などを手入力することなく、端末装置１３の表示操作装置１８の画面に表示された情報を選んでいくだけで、所望の検索キーによる故障発生傾向を容易に手に入れることができる。また、装置の故障傾向の全容が容易にわかるので、当該装置の故障診断の迅速化を図ることができる。さらに、検索キーを組み合わせて指定することにより、例えば、あるモジュールや部品の故障傾向をその客先業種別に分類して知ることも可能である。
【００３３】
すなわち、装置に取り付けられたＲＦＩＤ１１に記録された製造番号より、その装置が実装されたシステムの産業分野、設置環境、過去の故障履歴を取り出し、故障解析を迅速に行うとともに、故障が発生する誘因より環境改善などの提案を行うためのバックデータを即座に取り出すことができる。
【図面の簡単な説明】
【００３４】
【図１】本発明の実施の形態に係わる故障履歴管理装置の構成図。
【図２】本発明の実施の形態に係わる故障履歴管理装置として再書き込みしない方式のＲＦＩＤを採用した場合の動作説明図。
【図３】本発明の実施の形態に係わる故障履歴管理装置として再書き込み方式のＲＦＩＤを採用した場合の動作説明図。
【図４】本発明の実施の形態に係わる故障履歴管理装置でシステムの故障傾向を参照する場合の動作説明図。
【図５】本発明の実施の形態に係わる故障履歴管理装置の表示操作装置に表示したシステムの故障傾向のグラフ。
【符号の説明】
【００３５】
１１…無線認識票（ＲＦＩＤ）、１２…管理用計算機、１３…端末装置、１４…変復調器、１５…リーダ・ライタ、１６…変復調器、１７…端末装置本体、１８…表示操作装置、１９…プリンタ、２０…故障履歴データベース記憶部、２１…故障解析支援プログラム記憶部、２２…管理用計算機本体、２３…通信部、２４…故障履歴データベース作成診断エンジン部、２５…通信回線
【図１】
2006260344.tif 000003
【図２】
2006260344.tif 000004
【図３】
2006260344.tif 000005
【図４】
2006260344.tif 000006
【図５】
2006260344.tif 000007